(57)【要約】【課題】砂等の粒状物を用いたペット用トイレで排泄物を処理する際に、汚れた粒状物で室内を汚してしまうことを抑制するペット用トイレを提供する。【解決手段】粒状物を入れるためのトレーを有するペット用トイレであって、前記トレーの外縁全周にわたって庇状の持ち手部分が形成されており、前記持ち手部分の上面は、側方からみた断面図において直線をなしており、かつ前記トレーの中央方向に向かって高さが低くなるように傾斜している。【選択図】図１
2017205020.tif 000002
【特許請求の範囲】
【請求項１】
粒状物を入れるためのトレーを有するペット用トイレであって、
前記トレーの外縁全周にわたって庇状の持ち手部分が形成されており、
前記持ち手部分の上面は、側方からみた断面図において直線をなしており、かつ前記トレーの中央方向に向かって高さが低くなるように傾斜しているペット用トイレ。
【請求項２】
前記持ち手部分の上面は、側方からみた断面図における水平線に対して５〜４５°の角度で傾斜している請求項１に記載のペット用トイレ。
【請求項３】
前記トレーの上方から前記トレーを内包するように設置可能なカバー部材を更に有する請求項１又は２に記載のペット用トイレ。
【請求項４】
前記トレーの上方から前記トレーを内包するように前記カバー部材を設置したとき、前記トレーの外周と前記カバー部材の内壁が当接している請求項３に記載のペット用トイレ。
【請求項５】
前記カバー部材の上面には、ペットが出入り可能な出入口が形成されている請求項３又は４に記載のペット用トイレ。
【請求項６】
前記トレーの底部には、液体が通過可能な穴が形成されており、
前記トレーの下部に設置可能な、前記液体を受け止めるための受け皿を更に有する請求項１〜５のいずれか１項に記載のペット用トイレ。
【請求項７】
前記受け皿には、液体吸収シートが設置される請求項６に記載のペット用トイレ。
【発明の詳細な説明】
【技術分野】
【０００１】
本発明は、砂等の粒状物を用いたペット用トイレに関する。
【背景技術】
【０００２】
近年、室内において猫などのペットを飼育する人が増えている。そうなると問題となるのはトイレである。猫の場合、砂等の粒状物の上で排泄する習性があるので、粒状物を用いたトイレが必要となる。
【０００３】
特許文献１には、箱状のトイレ外容器の下部に出し入れ口を設けて、表面に吸水シートを着脱式にしたトレーを出し入れ自在に設け、またトイレ外容器の内側に底面を網底にした内容器を着脱式に設け、またトイレ内容器の内部に、はっ水加工を施した合成樹脂からなる砂を複数入れることから成るペット用トイレが記載されている。特許文献２には、上部開口を有する外容器本体と、該外容器本体内に内装されてなり、底部中央部分に網目状体を形成してなる内容器本体（この上には砂が設けられる）と、上記内容器本体の上端開口部に内装され、中央部に排泄用の穴部を有する蓋部とからなるペット用トイレが記載されている。
【先行技術文献】
【特許文献】
【０００４】
【特許文献１】特開２００２−１０９号公報
【特許文献２】特開２００２−７８４２８号公報
【発明の概要】
【発明が解決しようとする課題】
【０００５】
猫などのペットは、ペット用トイレに設置された粒状物の上で排泄行為をするが、その際に、猫がいわゆる砂掻きをするので、汚れた粒状物が飛び散って室内を汚してしまうことがあった。
【０００６】
そこで、本発明は、砂等の粒状物を用いたペット用トイレで排泄物を処理する際に、汚れた粒状物で室内を汚してしまうことを抑制するペット用トイレを提供することを目的とする。
【課題を解決するための手段】
【０００７】
本発明は、粒状物を入れるためのトレーを有するペット用トイレであって、
前記トレーの外縁全周にわたって庇状の持ち手部分が形成されており、
前記持ち手部分の上面は、側方からみた断面図において直線をなしており、かつ前記トレーの中央方向に向かって高さが低くなるように傾斜しているペット用トイレである。
【発明の効果】
【０００８】
本発明によれば、砂等の粒状物を用いたペット用トイレで排泄物を処理する際に、汚れた粒状物で室内を汚してしまうことを抑制するペット用トイレを提供できる。
【図面の簡単な説明】
【０００９】
【図１】本発明に係るペット用トイレの構成例を示す斜視図である。
【図２】本発明に係るペット用トイレの構成例を示す拡大断面図である。
【発明を実施するための形態】
【００１０】
本発明の一実施形態に係るペット用トイレの構成を図１に示す。図１のペット用トイレは、トレー１０と受け皿２０とカバー部材３０とからなっている。本発明に係るペット用トイレは、特に、猫用トイレとして好適である。
【００１１】
トレー１０は、粒状物を入れるためのものである。粒状物としては、天然の砂の他、ベントナイト等の粘土、紙、木（おがくず）、おから等の生分解性物質、シリカゲル等の多孔質体などからなる人工の砂（いわゆる猫砂）が挙げられる。
【００１２】
トレー１０には、図１に示すように、その外縁全周にわたって庇状の持ち手部分１１が形成されている。そして、持ち手部分１１の上面は、図２に示すように、側方からみた断面図において直線をなしており、トレー１０の中央方向に向かって高さが低くなるように傾斜している。このような持ち手部分１１を有することで、飛び散った粒状物が、持ち手部分１１の上面からトレー１０の内部に落ちやすくなる。
【００１３】
持ち手部分１１の上面に形成されている傾斜の角度θは、側方からみた断面図における水平線に対して５〜４５°であることが好ましい。角度θを５°以上とすることで、飛び散った粒状物が、持ち手部分１１の上面からトレー１０の内部に落ちやすくなる。角度θを４５°以下とすることで、後述するように、トレー１０の外周とカバー部材３０の内壁が当接しやすくなる。角度θは、１０〜３５°であることがより好ましく、１４〜２５°であることが更に好ましく、１７〜２０°であることが特に好ましく、例えば１８°程度とすることができる。
【００１４】
持ち手部分１１の上面からみた幅Ｗは、１０〜７０ｍｍであることが好ましい。幅Ｗを１０ｍｍ以上とすることで、粒状物がトレー１０の持ち手部分１１を超えて外部に飛び出す可能性が下がり、またトレー１１を持ちやすくなる。幅Ｗを７０ｍｍ以下とすることで、飛び散った粒状物が、持ち手部分１１の上面からトレー１０の内部に落ちやすくなる。幅Ｗは、１５〜６０ｍｍであることがより好ましく、２０〜５０ｍｍであることが更に好ましく、２５〜４０ｍｍであることが特に好ましく、例えば３０ｍｍ程度とすることができる。
【００１５】
トレー１０の高さ（深さ）は、トレー１０に入れる粒状物の量を考慮して適宜設定することができるが、５０〜２００ｍｍであることが好ましく、７０〜１４０ｍｍであることがより好ましく、９０〜１２０ｍｍであることが更に好ましく、例えば１００ｍｍ程度とすることができる。
【００１６】
トレー１０の底部には、液体が通過可能な穴１５が形成されていることが好ましい。この場合、その液体を受け止める受け皿２０が、トレー１０の下部に設置されることが好ましい。こうすることで、排泄物中の水分（尿）が、トレー１０の穴１５を通じて受け皿２０に移行し、粒状物を長期間使用できるようになる。また、受け皿２０の上には、液体吸収シートが設置されることが好ましい。こうすることで、受け皿２０に移行してきた水分（尿）が液体吸収シートに吸収され、処理が容易となる。
【００１７】
トレー１０の底部に形成される穴１５の形状及び大きさは、液体が通過可能なものであればよく、また粒状物が通過しにくい（より好ましくは、通過しない）ものであることが好ましく、例えば孔状又はメッシュ状の穴１５が形成される。
【００１８】
受け皿２０の形状及び大きさは、トレー１０の穴１５を通じて移行してきた排泄物中の水分（尿）を受け止められるものであればよく、トレー１０の大きさを考慮して適宜設定することができる。ただし、受け皿２０の上に液体吸収シートを設置したとき、液体吸収シートが、トレーの底部と当接していることが好ましい。こうすることで、排泄物中の水分（尿）が、トレー１０の穴１５を通じて受け皿２０側に移行しやすくなる。
【００１９】
受け皿２０には、図１に示すように、その外縁全周にわたって庇状の持ち手部分２１が形成されていることが好ましい。そして、この持ち手部分２１の上面は、持ち手部分１１と同様に、側方からみた断面図において直線をなしており、トレー１０の中央方向に向かって高さが低くなるように傾斜していることが好ましい。このような持ち手部分２１を有することで、受け皿２０の上部にトレー１０を安定して設置することができる。
【００２０】
受け皿２０の高さ（深さ）に関しては、受け皿２０の上にトレー１０を設置した際の間隔（通常は、（受け皿の深さ）−（トレーの深さ））を、５〜３０ｍｍとすることが好ましく、１０〜２０ｍｍとすることがより好ましく、例えば１５ｍｍとすることができる。
【００２１】
本発明のペット用トイレでは、トレー１０の上部からトレー１０を内包するように、カバー部材３０が設置されることが好ましい。受け皿２０を有するペット用トイレの場合は、カバー部材３０がトレー１０及び受け皿２０を内包することが好ましい。こうすることで、粒状物がトレー１０の外部に飛び出す可能性が下がり、また見た目もよくなる。カバー部材３０は、トレー１０（及び受け皿２０）を完全に内包することが好ましい。
【００２２】
トレー１０の上部からトレー１０（及び受け皿２０）を内包するようにカバー部材３０を設置したとき、図２に示すように、トレー１０の外周とカバー部材３０の内壁が当接していることが好ましい。こうすることで、トレー１０の外周とカバー部材３０の隙間がなくなり、粒状物がトレー１０の外部に飛び出す可能性がほぼなくなる。
【００２３】
カバー部材３０には、ペットが出入り可能な出入口３１が形成されていることが好ましい。こうすることで、ペットがカバー部材３０の内部に入って、粒状物が入れられたトレー１０の上で排泄行為をすることができる。出入口３１の形状は、円形でもよく、楕円形でもよく、角が取れた四角形でもよい。出入口３１を形成する面は、カバー部材３０の側面でも構わないが、図１に示すように、カバー部材３０の上面であることが好ましい。こうすることで、粒状物がカバー部材３０の外部に飛び出す可能性が下がり、また見た目もよくなる。
【００２４】
カバー部材３０の上面に出入口３１を形成する場合、その出入口３１の位置をカバー部材３０の上面中央部よりずらして、ペットが乗っかれる領域３５を形成することが好ましい。こうすることで、ペットは、カバー部材３０の上面の領域３５に一旦乗っかってから、出入口３１からカバー部材３０の内部に入ることができる。領域３５の広さ及び形状は、ペットが乗っかれることを考慮して適宜設定することができるが、例えば領域３５内に出入口３１をもう１つ形成可能な広さ及び形状であることが好ましい。
【００２５】
領域３５には、図１に示すように穴が形成されていることで、ペットが爪とぎをしたり、足に付いた汚れを落としたりすることができる。この穴は、通気孔の役割も持つ。また、ペットはカバー部材３０の内部に入っているときにも爪とぎをするので、出入口３１の周囲が他の部分より速く劣化する。そこで、出入口３１の周囲には、着脱可能な出入口リング３２を設置することが好ましい。
【００２６】
以上のような構成を有するペット用トイレであれば、砂等の粒状物を用いても、ペットが排泄行為をした後に汚れた粒状物で室内を汚してしまう可能性が低下する。
【符号の説明】
【００２７】
１０  トレー
１１  持ち手部分
１５  穴
２０  受け皿
２１  持ち手部分
３０  カバー部材
３１  出入口
３２  出入口リング
３５  領域
Ｗ    幅
θ    角度
【図１】
2017205020.tif 000003
【図２】
2017205020.tif 000004